(57)【要約】      （修正有）【課題】合致する電気ソケットに容易にかつ安定的に差し込まれ、一層少ない努力で合致する電気ソケットから容易に外されることが可能な電気プラグを提供すること。【解決手段】電気的に絶縁性のハウジング１を含み、前記ハウジングが、ピボット・ホルダ１４を含み、前記ハウジングの前側にシールされた前部カバー４を含み、前記前部カバーが、ピボット・ホルダを有し、前記ハウジングと前記前部カバーに対して旋回されるレバー２を含み、前記レバーが、フィンガー・ストリップ２１、少なくとも１つの駆動ロッド２３、および前記フィンガー・ストリップと前記ハウジングのピボット・ホルダと前記前部カバーのピボット・ホルダで旋回可能に締め付けられたピボット２２を含み、前記前部カバー内の前記ハウジングの金属製接触部材の間に装着された追随部材３を含み、前記追随部材が、後部基材３１、および前部ブロック３２を有することからなる。【選択図】図１
0003102406.tif 000002
【実用新案登録請求の範囲】
【請求項１】
電気プラグであって、
電気的に絶縁性のハウジングを含み、前記ハウジングが、電気ソケットの差し込みスロットに挿入するためにその前側から前方に延びる複数の金属性接触部材、奥にへこんだ前部開口チャンバ、および前記前部開口チャンバの一方の側で外壁から突き出たピボット・ホルダを含み、
前記ハウジングの前側にシールされた前部カバーを含み、前記前部カバーが、前記ハウジングの金属製接触部材を通すための開口、および前記ハウジングのピボット・ホルダに付けられるピボット・ホルダを有し、
実質的にＬ字形のフレーム部材で形成されてかつ前記ハウジングと前記前部カバーに対して旋回されるレバーを含み、前記レバーが、前記ハウジングの外側で一方の端部に配置されたフィンガー・ストリップ、反対側の端部に配置されて前記ハウジングの奥にへこんだ前部開口チャンバ内に懸架された少なくとも１つの駆動ロッド、および前記フィンガー・ストリップと前記少なくとも１つの駆動ロッドの間に横方向に接続されて前記ハウジングのピボット・ホルダと前記前部カバーのピボット・ホルダで旋回可能に締め付けられたピボットを含み、
前記前部カバー内の前記ハウジングの金属製接触部材の間に装着された追随部材を含み、前記追随部材が、前記レバーの少なくとも１つの駆動ロッドで止められる後部基材、および前記後部基材から前方に延びて前記ハウジングの金属製接触部材の間に懸架される前部ブロックを有し、
電気プラグが合致する電気ソケットに接続された後に指で前記レバーの前記フィンガー・ストリップを押すと、前記レバーの少なくとも１つの駆動ロッドによって前記追随部材が前記前部カバーの開口の外に押されて合致する電気ソケットに当たって止まり、それによって前記ハウジングの金属製接触部材が合致する電気ソケットの差し込みスロットから分離させられることを特徴とする電気プラグ。
【請求項２】
前記少なくとも１つの駆動ロッドの数が２個であり、かつ２個の駆動ロッドがフォーク構造を形成することを特徴とする請求項１に記載の電気プラグ。
【請求項３】
前記レバーがさらに、前記フィンガー・ストリップと前記ピボットの間に接続された止め板を含むことを特徴とする請求項１に記載の電気プラグ。
【請求項４】
前記ハウジングのピボット・ホルダが滑らかなアーチ形のフランジであり、かつ前記前部カバーのピボット・ホルダが前記滑らかなアーチ形のフランジに付けられる回転軸ハウジングであることで前記レバーの前記ピボットを前記滑らかなアーチ形のフランジと前記回転軸ハウジングの間に保持することを特徴とする請求項１に記載の電気プラグ。
【請求項５】
前記追随部材が、前記ハウジングの金属製接触部材に対応して前記前部ブロックに形成された複数のガイド溝を有することを特徴とする請求項１に記載の電気プラグ。
【請求項６】
前記追随部材が、前記前部ブロックと前記後部基材を通る複数の貫通孔を含み、前記前部カバーが、前記追随部材の貫通孔にそれぞれ差し込まれる複数の内側ガイド・ロッドを含み、前記追随部材の前記前部ブロックと前記前部カバーの内壁の間にバネ部材が支持されることで前記追随部材を前記ハウジングに向けて前記前部カバーから押し離すことを特徴とする請求項１に記載の電気プラグ。
【請求項７】
前記バネ部材が圧縮されたバネであることを特徴とする請求項６に記載の電気プラグ。
【請求項８】
前記前部カバーが、前記ハウジングの金属製接触部材を支えるように構成された複数の内側ガイド・プレートを含むことを特徴とする請求項１に記載の電気プラグ。
【考案の詳細な説明】
【技術分野】
【０００１】
本考案は電気プラグに関し、さらに特定すると一層少ない努力で電気ソケットから容易に分離されることが可能なそのような電気プラグに関する。
【背景技術】
【０００２】
電気プラグとソケットは、普通、電力供給を受けるために電気器具で使用される。電気プラグとソケットの多様な設計が多様な国々で使用される可能性がある。しかしながら、これらの電気プラグとソケットは同じ方式で操作される。電気プラグは電気ソケットの差し込みスロットに差し込むための２つの金属の接触ブレードを有する。接地用の突起を有する電気プラグがある。金属の接触部材（金属製接触ブレードと接地用突起）は、電気プラグが電気的にかつ確実に電気ソケットに接続され続けることが可能になるように完全に電気ソケットの差し込みスロットと一致しなければならない。
【考案の開示】
【考案が解決しようとする課題】
【０００３】
電気プラグを電気ソケットから外すとき、使用者は電気ソケットから電気プラグを外方向に引くために多くの努力を払わねばならない可能性がある。ときには、使用者は電気ソケットから電気プラグを引き抜くために両手を使用しなければならない可能性がある。この欠点を取り除くために、差し込みやすく引き抜きやすい電気プラグが開発される。
【０００４】
この設計の知られている電気プラグはハウジングから一方の側で突き出ているラグ、そのラグに旋回するように付けられたレバー、２枚の水平方向押し付けプレート、およびハウジングの内壁とレバーの間に止められた張力バネを含む。手でレバーを押すと、押し付けプレートが電気ソケットに対して押し付けられ、ハウジングに反発力を与えることでハウジングの金属製接触ブレードを電気ソケットから外方向に押しやる。電気プラグのこの設計はそれでもまだ機能的に満足のいくものではない。レバーがハウジングの一方の側に設けられるので、レバーを押すことによって生じる側方への圧力が金属製接触ブレードを偏らせる傾向があり、電気プラグの内側部分の緩みに結果的につながる。本考案は考慮中の状況下で確立された。合致する電気ソケットに容易にかつ安定的に差し込まれ、一層少ない努力で合致する電気ソケットから容易に外されることが可能な電気プラグを提供することが本考案の主目的である。
電気プラグを合致する電気ソケットから外すときに偏りのない方向に金属製接触部材を保つ電気プラグを提供することが本考案のさらに別の目的である。
【課題を解決するための手段】
【０００５】
本考案の一態様によると、電気プラグは、電気的に絶縁性のハウジングであってその前側から前方に延びて電気ソケットの差し込みスロットに差し込むための複数の金属性接触部材、奥にへこんだ前部開口チャンバ、および前部開口チャンバの一方の側でその外壁から突き出たピボット・ホルダを含むハウジング、ハウジングの前側にシールされた前部カバーであってハウジングの金属製接触部材を通すための開口、およびハウジングのピボット・ホルダに取り付けられるピボット・ホルダを有する前部カバー、実質的にＬ字形のフレーム部材で形成されてかつハウジングと前部カバーに対して旋回されるレバーであってハウジングの外側で一方の端部に配置されたフィンガー・ストリップ、反対側の端部に配置されてハウジングの奥にへこんだ前部開口チャンバ内に懸架された少なくとも１つの駆動ロッド、およびフィンガー・ストリップと少なくとも１つの駆動ロッドの間に横方向に接続されてハウジングのピボット・ホルダと前部カバーのピボット・ホルダで旋回可能に締め付けられたピボットを含むレバー、および前部カバー内のハウジングの金属製接触部材の間に装着された追随部材であってレバーの少なくとも１つの駆動ロッドで止められる後部基材、および後部基材から前方に延びてハウジングの金属製接触部材の間に懸架される前部ブロックを有する。電気プラグが合致する電気ソケットに接続された後に指でレバーのフィンガー・ストリップを押すと、レバーの少なくとも１つの駆動ロッドによって追随部材が前部カバーの開口の外に押されて合致する電気ソケットに当たって止まり、それによってハウジングの金属製接触部材が合致する電気ソケットの差し込みスロットから分離させられる。
【０００６】
本考案の別の態様によると、追随部材が前部ブロックと後部基材を通る複数の貫通孔を含み、前部カバーが追随部材の貫通孔にそれぞれ差し込まれる複数の内側ガイド・ロッドを含み、バネ部材が、追随部材の前部ブロックと前部カバーの内壁の間に支持されることでハウジングに向けて追随部材を前部カバーから押し離す。
【０００７】
又、前記少なくとも１つの駆動ロッドの数が２個であり、かつ２個の駆動ロッドがフォーク構造を形成することが好適である。
又、前記レバーがさらに、前記フィンガー・ストリップと前記ピボットの間に接続された止め板を含むことが好適である。
又、前記ハウジングのピボット・ホルダが滑らかなアーチ形のフランジであり、かつ前記前部カバーのピボット・ホルダが前記滑らかなアーチ形のフランジに付けられる回転軸ハウジングであることで前記レバーの前記ピボットを前記滑らかなアーチ形のフランジと前記回転軸ハウジングの間に保持することが好適である。
又、前記追随部材が、前記ハウジングの金属製接触部材に対応して前記前部ブロックに形成された複数のガイド溝を有することが好適である。
又、前記追随部材が、前記前部ブロックと前記後部基材を通る複数の貫通孔を含み、前記前部カバーが、前記追随部材の貫通孔にそれぞれ差し込まれる複数の内側ガイド・ロッドを含み、前記追随部材の前記前部ブロックと前記前部カバーの内壁の間にバネ部材が支持されることで前記追随部材を前記ハウジングに向けて前記前部カバーから押し離すことが好適である。
又、前記バネ部材が圧縮されたバネであることが好適である。
さらに、前記前部カバーが、前記ハウジングの金属製接触部材を支えるように構成された複数の内側ガイド・プレートを含むことが好適である。
【考案を実施するための最良の形態】
【０００８】
本考案は以下の詳細な説明と添付の図面を参照することによってさらに充分に理解されることが可能である。
【０００９】
図１と２を参照すると、電気的絶縁性のハウジング１、レバー２、追随部材３、および前部カバー４を有して本考案による電気プラグが示されている。
【００１０】
従来の設計と同様に、ハウジング１は２つの金属製接触ブレード１１および／または接地用突起１２を有する。従来の設計から差別化すると、ハウジング１は奥にへこんだ開口チャンバ、例えばＵ字型開口チャンバ１３、およびレバー２を収容するために開口チャンバ１３の一方の側で周縁の壁から突き出た滑らかなアーチ形のフランジ１４から形成されたピボット・ホルダを有する。
【００１１】
レバー２は、一方の端部に配置されたフィンガー・ストリップ２１、他方の端部に配置されてフォーク構造を形成する少なくとも１つの、例えば２つの駆動ロッド２３、フィンガー・ストリップ２１と駆動ロッド２３の間に横方向に設けられたピボット２２、およびフィンガー・ストリップ２１とピボット２２の間に接続された止め板２１１を有する実質的にＬ字形のフレーム部材である。駆動ロッド２３の各々は、追随部材３を押すように構成された扇状面２３１に終端化するそれぞれの開放端部を有する。駆動ロッド２３はある距離で互いから間隔を設けられる。使用者がレバー２を操作することで追随部材３を移動させるとき、駆動ロッド２３が金属製接触ブレード１１に触れることはない。さらに、止め板２１１が上り行程時のレバー２とハウジング１のピボット・ホルダ１４の間の摩擦を防止する。
【００１２】
追随部材３は金属製接触ブレード１１の間に装着されるブロック部材であり、レバー２の各駆動ロッド２３の扇状面２３１に付けられる後部基材３１、前部ブロック３２、前部ブロック３２に形成され、レバー２の駆動ロッド２３の扇状面２３１によって押されると追随部材３が金属製接触ブレード１１および／または接地用突起１２に沿って移動させられることを可能にするように金属製接触ブレード１１または接地用突起１２に対応する少なくとも１つのガイド溝３３を有する。
【００１３】
追随部材３はさらに、前部ブロック３２の前側の前部切り欠き３４、および前部切り欠き３４に形成されて前部カバー４の２つのガイド・ロッド４１を受けるために後部基材３１を通って延びる２つの貫通孔３５を含む。バネ部材５は前部切り欠き３４内に配置され、追随部材３の前部ブロック３２と前部カバー４の内壁の間に止められ、前部カバー４が押された後に自動的に前部カバー４を戻すように構成される。バネ部材５はガイド・ロッド４１と前部切り欠き３４の周縁壁によって囲まれるので、金属製接触ブレード１１および／または接地用突起１２に触れることを予防される。
【００１４】
前部カバー４はハウジング１の前側にシールされ、電力供給を得るために金属製接触ブレード１１および／または接地用突起１２を通すための開口４２、回転軸のハウジング４３で形成され、レバー２のピボット２２を保持するためにハウジング１のピボット・ホルダ１４に付けられるピボット・ホルダ、および合致する電気ソケットの差し込みスロットに金属製接触ブレード１１および／または接地用突起１２が安定して差し込まれるかまたはそこから外されることを可能にするために金属製接触ブレード１１および／または接地用突起１２を支えるように構成された内側ガイド・プレート４４を有する。組み立てられるとき、例えば高周波のシール装置によって前部カバー４はハウジング１にシールされる。
【００１５】
図３と４を参照すると、使用時に、金属製接触ブレード１１および／または接地用突起１２が合致する電気ソケットの相当する差し込みスロットに差し込まれることで合致する電気ソケットから電力供給を得る。この使用法は従来の電気プラグと同じである。合致する電気ソケットから電気プラグを外すとき、フィンガー・ストリップ２１を押してピボット・ホルダ１４と４３内のピボット２２を旋回させ、それによって駆動ロッド２３の扇状面２３１が追随部材３を前部カバー４の開口４２から合致する電気ソケットのハウジングに向かって前方に押し出し、その結果、金属製接触ブレード１１および／または接地用突起１２は合致する電気ソケットの差し込みスロットから外方向に移動させられる。
【００１６】
追随部材３がハウジング１の金属製接触ブレード１１の間にセットされるので、加えられた力はレバー２を通じて追随部材３に均等に与えられ、一層少ない努力で金属製接触ブレード１１および／または接地用突起１２が合致する電気ソケットから円滑に外されることを可能にする。
【００１７】
電気プラグのプロトタイプが図１〜４の特徴を備えて作製された。その電気プラグは前述で検討した特徴のすべてを与えるように円滑に機能する。
【００１８】
具体的な例示の目的で本考案の特定の実施形態を詳細に説明してきたが、本考案の精神と範囲から逸脱することなく様々な改造および増強がなされる可能性がある。したがって、本考案は添付の実用新案登録請求項による以外に制限されることはない。
【図面の簡単な説明】
【００１９】
【図１】本考案による電気プラグの分解組み立て図である。
【図２】本考案による電気プラグの組み立て立面図である。
【図３】電気ソケットに接続された電気プラグを示す、本考案の断面図である。
【図４】図３と類似しているが、押されたレバーと電気ソケットに対して押し付けられた追随部材を示す図である。
【符号の説明】
【００２０】
１  ハウジング
２  レバー
３  追随部材
４  前部カバー
５  バネ部材
１１  金属製接触ブレード
１２  接地用突起
１３  開口チャンバ
１４  ピボット・ホルダ
２１  フィンガー・ストリップ
２２  ピボット
２３  駆動ロッド
３１  後部基材
３２  前部ブロック
３３  ガイド溝
３４  前部切り欠き
３５  貫通孔
４１  ガイド・ロッド
４２  開口
４３  回転軸ハウジング
４４  ガイド・プレート
２１１  止め板
２３１  扇状面
【図１】
0003102406.tif 000003
【図２】
0003102406.tif 000004
【図３】
0003102406.tif 000005
【図４】
0003102406.tif 000006